(57)【要約】【課題】屋外に設置され内部に発熱体を有する箱体構造物の内部を冷却する冷却装置において、本体の小型化ができ、冷却装置の取り付け位置によらず、制御手段を容易に操作でき、制御手段自体の冷却を行うことができる冷却装置を提供することを目的としている。【解決手段】顕熱交換器２と循環用ファン３と室外ファン４を備え、取り外し可能なコントローラー２８をボディ１の背面のフランジ１０ａにより形成された筐体４１との連通風路内に設け、筐体内空気吸込口７より筐体４１内の高温空気を取り込み冷却し、筐体内空気の検出温度により運転状態を制御し、筐体内空気をコントローラー２８内へ通風することによりコントローラー２８の冷却を行うことができる冷却装置を得られる。【選択図】図１
2005282905.tif 000002
【特許請求の範囲】
【請求項１】
機器を収容した筐体に取り付けられ、顕熱交換器と、循環用送風機と、外気用送風機と、前記筐体内と連通した筐体内空気吸込口および筐体内空気吹出口と、外気と連通した外気吸込口および外気吹出口を備え、前記筐体内に収容された前記機器の発熱により熱せられた筐体内空気を前記循環用送風機により前記筐体内空気吸込口から取り込み、前記顕熱交換器にて前記外気用送風機により前記外気吸込口から取り込まれた外気との顕熱交換により冷却した後、前記外気を前記外気排気口から屋外へ排気し、前記筐体内空気を前記筐体内空気吹出口より再び機器が収容されている前記筐体内へ送風し空気循環する冷却装置において、前記冷却装置を前記筐体の外郭に取り付け、前記筐体内空気吸込口または前記筐体内空気吹出口の少なくとも一方に前記筐体内空気吸込口および前記筐体内空気吹出口と筐体内を連通する連通風路を形成する風路形成手段を設け、前記冷却装置の前記筐体との取り付け面の前記筐体側かつ連通風路内に電装品収納部を備え、前記電装品収納部は前記冷却装置の運転状態を制御するための制御手段としての電子機器を収納していることを特徴とする冷却装置。
【請求項２】
筐体内空気吸込口に筐体内空気温度検出手段を設け、電装品収納部は冷却装置の通電、非通電を切り替える電源スイッチと、通電状態表示部と、冷却装置の運転条件を設定する条件設定部と、前記条件設定部の設定条件と前記筐体内空気温度検出手段の検出値に基づき循環用送風機および外気用送風機の運転状態を制御する制御回路部を少なくとも１つ以上備えていることを特徴とする請求項１記載の冷却装置。
【請求項３】
電装品収納部を冷却装置と着脱可能としたことを特徴とする請求項１または２のいずれか１項記載の冷却装置。
【請求項４】
電装品収納部に前記電装品収容部への通気を行うための給気口と排気口を設け、前記給気口の開口方向および前記排気口の開口方向を変更可能としたことを特徴とする請求項１、２または３のいずれか１項記載の冷却装置。
【請求項５】
筐体内空気吸込口の一部または全部と電装品収納部の排気口を合致させたことを特徴とする請求項１、２、３または４のいずれか１項記載の冷却装置。
【請求項６】
顕熱交換器通過後の筐体内空気の一部または全部が給気口より電装品収納部内部を通過し、排気口より排気された後、筐体内へ送風され空気循環することを特徴とする請求項１、２、３または４のいずれか１項記載の冷却装置。
【請求項７】
電装品収納部を第一の電装品収納部と第二の電装品収納部とに分割可能としたことを特徴とする請求項１、２、３、４、５または６のいずれか１項記載の冷却装置。
【請求項８】
冷却装置の運転状態を制御する電子部品のうち、人が操作する必要のある電子部品および人が容易に確認できる必要のある電子部品を第一の電装品収納部に収納し、人が操作する必要のない電子部品を第二の電装品収納部に収納したことを特徴とする請求項７記載の冷却装置。
【請求項９】
人が操作する必要のある電子部品および人が容易に確認できる必要のある電子部品として、電源スイッチと通電状態表示部と条件設定部をの少なくとも一つを第一の電装品収納部に収納し、人が操作する必要のない制御手段として制御回路部を第二の電装品収納部に収納したことを特徴とする請求項８記載の冷却装置。
【請求項１０】
第二の電装品収納部を冷却装置内部の筐体内空気風路中に配置したことを特徴とする請求項７、８または９のいずれか１項記載の冷却装置。
【請求項１１】
第二の電装品収納部を冷却装置内部の顕熱交換器通過後の筐体内空気風路中に配置したことを特徴とする請求項７、8または９のいずれか１項記載の冷却装置。
【発明の詳細な説明】
【技術分野】
【０００１】
本発明は、屋外に設置される筐体で、内部に通信機器等の発熱体を有し、その発熱量が多いため冬季においても冷却を要し、また、温度、湿度、粉塵などが性能、寿命に影響を与えるような精密機器を有する筐体の冷却装置に関するものである。
【背景技術】
【０００２】
従来、この種の冷却装置は、顕熱交換器としての伝熱板と循環用送風機としての内気吸込みファンと外気用送風機としての外気吸込みファンと端子台とを備えたものが知られている（例えば、特許文献１参照）。
【０００３】
以下、その冷却装置について、図１７を参照しながら説明する。
【０００４】
冷却装置１０１は筐体としての制御盤の扉１０２の内面に取り付けられ、制御盤内空間１０３と制御盤外空間１０４に分離されている。１０５は冷却装置１０１のケースであり、縦長の箱状に形成され、扉１０２に取り付けるためのフランジＡ１０６が上下左右に形成されている。フランジＡ１０６の正面には扉１０２との気密のためパッキン１０７が張り付けられている。ケース１０５の底面には循環空気吸込口としての内気吸気孔１０８および循環空気吹出口としての内気排気孔１０９が設けられている。ケース１０５の中央部に収納された伝熱板１１０は薄板をコルゲート状に折り曲げ、多数の隔壁部が等間隔で形成され、その長手方向の両端部が交互に１つおきに橋絡部によって接続され、交互に位置する複数個の内気側矩形流路１１１と外気側矩形流路１１２とを形成している。ケース１０５の内気吸気孔１０８は内気側矩形流路１１１に連通し、内気排気孔１０９には循環用送風機としての内気吸い込みファン１１３が取り付け板１１４を介して取り付けられており、取り付け板１１４の上縁には内気の流れを偏向させるための傾斜部１１４Ａが形成されている。扉１０２の中間には外気側矩形流路１１２に連通する外気吸込口としての外気吸気孔１１５が設けられており、上部には外気吹出口としての外気排気孔１１６が設けられ、外気用送風機としての外気吸込みファン１１７が取り付け板１１８を介して取り付けられている。１１９はケース１０５の上部と取り付け板１１４の上部に取り付けられた端子台で、内気吸込みファン１１３および外気吸込みファン１１７のリード線１１３Ａ、１１７Ａはそれぞれ端子台１１９の内側に接続され、外側において電線１２０でわたり配線されている。そして２個の端子台１１９のうちいずれか便利な方から電線に配線される。
【０００５】
冷却装置１０１を作動させると、制御盤内空間１０３の高温空気は矢印ａで示すように内気吸気孔１０８から吸い込まれ、内気側矩形流路１１１内を分流して内気吸込みファン１１３によって再び制御盤内空間１０３に戻される。一方、制御盤外空間１０４の低温空気は矢印ｂで示すように外気吸気孔１１５から吸い込まれ、外気側矩形流路１１２内を分流して外気吸込みファン１１７によって制御盤外空間１０４に戻される。上記の強制対流により、伝熱板１１０の隔壁部を介して熱交換が行われ、制御盤内の空気が冷却される。
【特許文献１】実開平５−８２５３号公報
【発明の開示】
【発明が解決しようとする課題】
【０００６】
近年、冷却装置が取り付けられる筐体自体の小型化が進められており、また冷却装置を効率よく運転するための制御手段を備えた冷却装置の開発が進められているが、このような従来の冷却装置では、制御盤すなわち筐体の内部に取り付けられるため、筐体自体の小型化により筐体内部に収容された機器と接触する可能性があり、さらに冷却装置を効率よく運転するための制御手段を搭載する場合、冷却装置の外形寸法は当然大きくなるため、扉内部の寸法よりも大きくなり、扉内部に取り付けが出来なくなる可能性があり、また扉内部に取り付けが出来るようにケースの底面すなわち冷却装置の筐体内側の面に制御手段を設けた場合、筐体内部に収容された機器と接触する可能性がさらに高まるため、筐体の小型化に対応し、制御手段を備えた冷却装置の小型化が要求されている。
【０００７】
また、冷却装置に制御手段を搭載した場合、冷却装置の取り付け位置によっては冷却装置の取り付け後、制御手段の操作が困難となる場合があり、冷却装置の取り付け位置によらず、制御手段を容易に操作できる必要がある。
【０００８】
また、冷却装置の制御手段としての電子部品も筐体内部の機器と同様に発熱し高温状態となるため、制御手段自体を冷却する必要がある。
【０００９】
本発明は、このような従来の課題を解決するものであり、制御手段を備えつつ小型化ができ、冷却装置の取り付け位置によらず制御手段を容易に操作でき、冷制御手段としての電子部品の冷却を行うことができる冷却装置を提供することを目的としている。
【課題を解決するための手段】
【００１０】
本発明の冷却装置は上記目的を達成するために、冷却装置を筐体の外郭に取り付け、筐体内空気吸込口または筐体内空気吹出口の少なくとも一方に前記筐体内空気吸込口および前記筐体内空気吹出口と筐体内を連通する連通風路を形成する風路形成手段を設け、冷却装置の筐体との取り付け面の筐体側かつ連通風路内に電装品収納部を備え、電装品収納部は冷却装置の運転状態を制御するための制御手段としての電子機器を収納したものである。
【００１１】
この手段により制御手段を備えつつ小型化ができる冷却装置が得られる。
【００１２】
また他の手段は、筐体内空気温度検出手段を設け、電装品収納部に電源スイッチと、通電状態表示部と、条件設定部と、循環用送風機および外気用送風機の運転状態を制御する制御回路部を少なくとも１つ以上備えたものである。
【００１３】
この手段により制御手段を備えつつ小型化ができる冷却装置が得られる。
【００１４】
また他の手段は、電装品収納部を着脱可能としたものである。
【００１５】
この手段により冷却装置の取り付け位置によらず制御手段を容易に操作できる冷却装置が得られる。
【００１６】
また他の手段は、電装品収納部に給気口と排気口を設け、前記給気口の開口方向および前記排気口の開口方向を変更可能としたものである。
【００１７】
この手段により冷却手段としての電子部品の冷却を行うことができる冷却装置が得られる。
【００１８】
また他の手段は、筐体内空気吸込口の一部または全部と電装品収納部の排気口を合致させたものである。
【００１９】
この手段により冷却手段としての電子部品の冷却を行うことができる冷却装置が得られる。
【００２０】
また他の手段は、顕熱交換器通過後の筐体内空気の一部または全部が電装品収納部内部を通過した後、筐体内へ送風され空気循環するものである。
【００２１】
この手段により冷却手段としての電子部品の冷却を行うことができる冷却装置が得られる。
【００２２】
また他の手段は、電装品収納部を第一の電装品収納部と第二の電装品収納部とに分割可能としたものである。
【００２３】
この手段により冷却手段としての電子部品の冷却を行うことができ、冷却装置の取り付け位置によらず制御手段を容易に操作できる冷却装置が得られる。
【００２４】
また他の手段は、冷却装置の運転状態を制御する電子部品のうち、人が操作する必要のある電子部品および人が容易に確認できる必要のある電子部品を第一の電装品収納部に収納し、人が操作する必要がなく、発熱量の多い電子部品を第二の電装品収納部に収納したものである。
【００２５】
この手段により冷却手段としての電子部品の冷却を行うことができ、冷却装置の取り付け位置によらず制御手段を容易に操作できる冷却装置が得られる。
【００２６】
また他の手段は、電源スイッチと通電状態表示部と条件設定部を第一の電装品収納部に収納し、制御回路部を第二の電装品収納部に収納したものである。
【００２７】
この手段により冷却手段としての電子部品の冷却を行うことができ、冷却装置の取り付け位置によらず制御手段を容易に操作できる冷却装置が得られる。
【００２８】
また他の手段は、第二の電装品収納部を冷却装置内部の筐体内空気風路中に配置したものである。
【００２９】
この手段により冷却手段としての電子部品の冷却を行うことができ、冷却装置の取り付け位置によらず制御手段を容易に操作できる冷却装置が得られる。
【００３０】
また他の手段は、第二の電装品収納部を冷却装置内部の顕熱交換器通過後の筐体内空気風路中に配置したものである。
【００３１】
この手段により電装品自体の冷却を行うことができる冷却装置が得られる。
【発明の効果】
【００３２】
本発明によれば制御手段を冷却装置の外部の筐体との取り付け面に設けることにより制御手段を備えつつ小型化ができるという効果のある冷却装置を提供できる。
【００３３】
また、電装手段を収納した電装品収納部を冷却装置と着脱可能とすることにより、冷却装置の取り付け位置によらず制御手段を容易に操作できるという効果のある冷却装置を提供できる。
【００３４】
また、電装品収納部に給気口と排気口を設け電装品内部に収納された制御手段としての電子部品の冷却を行うことができるという効果のある冷却装置を提供できる。
【００３５】
また、人が操作する必要がなく、発熱量の多い電子部品を筐体側風路に配置することにより、制御手段としての電子部品の冷却を行うことができるという効果のある冷却装置を提供できる。
【発明を実施するための最良の形態】
【００３６】
本発明の請求項１記載の発明は、機器を収容した筐体に取り付けられ、顕熱交換器と、循環用送風機と、外気用送風機と、前記筐体内と連通した筐体内空気吸込口および筐体内空気吹出口と、外気と連通した外気吸込口および外気吹出口を備え、前記筐体内に収容された前記機器の発熱により熱せられた筐体内空気を前記循環用送風機により前記筐体内空気吸込口から取り込み、前記顕熱交換器にて前記外気用送風機により前記外気吸込口から取り込まれた外気との顕熱交換により冷却した後、前記外気を前記外気排気口から屋外へ排気し、前記筐体内空気を前記筐体内空気吹出口より再び機器が収容されている前記筐体内へ送風し空気循環する冷却装置において、前記冷却装置を前記筐体の外郭に取り付け、前記筐体内空気吸込口または前記筐体内空気吹出口の少なくとも一方に前記筐体内空気吸込口および前記筐体内空気吹出口と筐体内を連通する連通風路を形成する風路形成手段を設け、前記冷却装置の前記筐体との取り付け面の前記筐体側かつ連通風路内に電装品収納部を備え、前記電装品収納部は前記冷却装置の運転状態を制御するための制御手段としての電子機器を収納したものであり、前記冷却装置を前記筐体の外郭に取り付け、前記電装品収納部を前記冷却装置の前記筐体との取り付け面の前記筐体側かつ前記連通風路内に前記電装品収納部を備えることにより、前記筐体内部に収容された前記機器と接触することがなく、前記電装品収納部を冷却装置の外側に配置することにより、前記制御手段を備えても前記冷却装置の本体寸法を大きくすることなく前記冷却装置を前記筐体へ取り付けることができるという作用を有する。
【００３７】
また、電装品収納部を冷却装置から着脱可能としたものであり、前記電装品収納部に収納された制御手段の設定が困難な位置に前記冷却装置が筐体へ取り付けられた場合、前記電装品収納部を前記冷却装置から取り外し、前記筐体内部の前記電装品収納部に収納された制御手段の設定が容易に行える位置に取り付けることができるという作用を有する。
【００３８】
また、電装品収納部に給気口と排気口を設け、前記給気口の開口方向および前記排気口の開口方向を変更可能としたものであり、前記給気口から空気を取込み、前記電装品収納部内の電装品の発熱により高温となった空気を前記排気口から排出することができ、また、前記電装品収納部の取り付け位置に応じて、前記給気口および前記排気口を変更することにより、前記電装品収納部の通気性を確保することができるという作用を有する。
【００３９】
また、筐体内空気吸込口の一部または全部と電装品収納部の排気口を合致させたものであり、前記給気口から取込まれた前記電装品収納部内部の空気は前記排気口を経由して前記筐体内空気吸込口から冷却装置内へ循環用送風機により強制的に取り込まれるため、前記電装品収納部の排熱処理を確実に行うことができるという作用を有する。
【００４０】
また、顕熱交換器通過後の筐体内空気の一部または全部が給気口より電装品収納部内部を通過し、排気口より排気された後、筐体内へ送風され空気循環するものであり、前記顕熱交換器により冷却された前記筐体内空気が前記電装品収納部へ前記給気口より供給された後、前記排気口より排気されるため、前記電装品収納部の冷却を確実に行うことができるという作用を有する。
【００４１】
また、電装品収納部を第一の電装品収納部と第二の電装品収納部とに分割可能としたものであり、前記第一の電装品収納部および前記第二の電装品収納部のいずれか一方または両方を冷却装置から取り外し、筐体内部の任意の位置に取り付けることができるという作用を有する。
【００４２】
また、冷却装置の運転状態を制御する電子部品のうち、人が操作する必要のある電子部品および人が容易に確認できる必要のある電子部品を第一の電装品収納部に収納し、人が操作する必要のない電子部品を第二の電装品収納部に収納したものであり、前記第一の電装品収納部に収納された電子部品の設定が困難な位置に前記冷却装置が筐体へ取り付けられた場合、前記第一の電装品収納部を前記冷却装置から取り外し、前記筐体内部の前記第一の電装品収納部に収納された電子部品の設定が容易に行える位置に取り付けることができ、人が操作する必要がなく発熱量の多い前記電子部品を収納した第二の電装品収納部は前記冷却装置に取り付けた状態または前記筐体内の温度の低い位置へ取り付けることができるという作用を有する。
【００４３】
また、電源スイッチと通電状態表示部と条件設定部を第一の電装品収納部に収納し、制御回路部を第二の電装品収納部に収納したものであり、前記第一の電装品収納部を冷却装置の筐体との取り付け面、または前記筐体内部で電源スイッチ、条件設定を行いやすい、または通電状態表示部を確認しやすい位置へ取り付けることができ、また前記第二の電装品収納部を冷却装置の筐体との取り付け面、または前記筐体内部の温度の低い位置へ取り付けることができるという作用を有する。
【００４４】
また、第二の電装品収納部を冷却装置内部の筐体内空気風路中に配置したものであり、循環用送風機により前記第二の電装品収納部へ筐体内空気を通気させることにより、前記第二の電装品収納部の排熱処理を行うことができるという作用を有する。
【００４５】
また、第二の電装品収納部を冷却装置内部の顕熱交換器通過後の筐体内空気風路中に配置したものであり、循環用送風機により前記第二の電装品収納部へ前記顕熱交換器により冷却された筐体内空気を通気させることにより、前記第二の電装品収納部の冷却を行うことができるという作用を有する。
【００４６】
以下、本発明の実施の形態について図面を参照しながら説明する。
【００４７】
（実施の形態１）
図１は冷却装置１０１の正面概略断面図、図２は筐体内空気側風路を示す側面概略断面図、図３は外気側風路を示す側面概略断面図である。
【００４８】
図１、２および図３に示すように、冷却装置１０１はボディ１の内部に顕熱交換器２と、循環用送風機としての循環用ファン３と、外気用送風機としての室外ファン４と、循環用ファン３および室外ファン４の駆動手段としてのモーター５と、外気用フィルター６ａを備えており、ボディ１は背面上部に筐体内空気吸込口７、背面下部に筐体内空気吹出口８、そして底面に外気吸込口９を備え、筐体内空気吸込口７の周囲にはフランジ１０ａ、筐体内空気吹出口８の周囲にはフランジ１０ｂが設けられている。
【００４９】
循環用ファン３、室外ファン４およびモーター５が収容されているボディ１の正面下部にはファン区画カバー１１が取り付けられ、ボディ１の正面中央部には顕熱交換器２の下方を覆うように顕熱交換器カバー１２が取り付けられており、また、ボディ１正面の全体を覆うようにフロントパネル１３が取り付けられている。
【００５０】
フロントパネル１３は、正面中央に外気吹出口１４が設けられ、外気吹出口１４は外気ダクト１５と連通し、外気ダクト１５のボディ１側には外気用フィルター６ｂが備えられている。
【００５１】
顕熱交換器２は、図４および図５に示すように、伝熱板Ａ１６と伝熱板Ｂ１７を交互に積層することにより構成され、それぞれの伝熱板の表裏に風路Ａ１８と風路Ｂ１９とが構成され、風路Ａ１８及び風路Ｂ１９を流れる流体はそれぞれの伝熱板を介して熱交換を行う。実際は多数の伝熱板Ａ１６及び伝熱板Ｂ１７が交互に積層されているが、簡略のため４枚の伝熱板を示している。
【００５２】
伝熱板Ａ１６及び伝熱板Ｂ１７は平面形状が六角形をなし、厚さがたとえば０．２ｍｍのポリスチレンシートの真空成形加工により成形されており、伝熱板Ａ１６は中空凸状に形成された略Ｓ字状の風路リブ２０を略平行、略等間隔に備え、風路リブ２０により略Ｓ字状の風路Ａ１８及び伝熱面２１が形成される。
【００５３】
風路Ａ１８の出入口部分には伝熱板Ａ１６の縁を風路リブ２０の凸方向とは逆方向へ折り曲げられた風路端面２２を設け、風路リブ２０の延長線上に風路端面２２と近接して風路リブ２０の凸方向と同方向に中空凸状であり風路リブ２０の高さよりも高い高さの複数の突起Ａ２３を設け、伝熱板Ａ１６の外周縁部のうち対向流となる風路部分と略平行をなす一対の外周縁部に突起Ａ２３と等しい高さの外周リブＡ２４を備え、伝熱板Ａ１６の外周縁部のうち斜交流となる風路部分と略平行をなす一対の外周縁部に風路リブ２０と等しい高さの外周リブＢ２５を備え、外周リブＢ２５の外側側面の中央部には風路開口部２６が形成されている。
【００５４】
伝熱板Ｂ１７は伝熱板Ａ１６と鏡像関係をなしており、伝熱板Ｂ１７の形状のうち伝熱板Ｂ１７の外周リブＡ２４の高さを風路リブ２０の高さと等しい高さとし、また幅を伝熱板Ａ１６の外周リブＡ２４の幅よりも広い幅とし、さらに伝熱板Ａ１６の外周リブＡ２４と等しい幅の突起Ｂ２７を３個備えるように形成されている。
【００５５】
伝熱板Ａ１６と伝熱板Ｂ１７を交互に積層した際、伝熱板Ａ１６に形成された外周リブＡ２４の上面および伝熱板Ｂ１７に形成された突起Ｂ２７の上面は上方に積層された伝熱板の外周リブＡ２４に密接し、隣接する外周リブＡ２４の外側側面の外面と内面が密接するように成形されており、また、風路リブ２０は上面が上方に積層された伝熱板に当接するように形成されており、風路Ａ１８及び風路Ｂ１９の風路高さを保持しており、その風路高さは通気抵抗などの熱交換器の性能面及び成形加工性などから設計されている。
【００５６】
風路出入口では外周リブＢ２５の上面が上方に積層された伝熱板と密接し、突起Ａ２３の上面が上方に積層された伝熱板の外周リブＢ２５に密接し、風路出入口での風路高さを保持しており、外周リブＢ２５の外側側面と上方に積層された伝熱板の風路端面の内面が密接するように成形されており、風路Ａ１８及び風路Ｂ１９の出入口部分での密封が行われる。
【００５７】
さらに、積層された顕熱交換器２の外周側面は熱溶着により溶着され、風路Ａ１８および風路Ｂ１９がそれぞれ独立して形成される。
【００５８】
ボディ１の背面のフランジ１０ａにより形成された連通風路内には電装品収納部としてのコントローラー２８が取り付けられており、コントローラー２８は電源スイッチ２９、通電状態表示部としての通電時に点灯する運転ＬＥＤ３０、異常状態時に点灯する異常ＬＥＤ３１、運転条件を設定する条件設定部としての温度設定手段３２ａ、３２ｂ、電源配線を接続するための端子台３３および運転状態を制御するための制御回路部を搭載した制御基板３４を収容している。
【００５９】
コントローラー２８はコントローラーボックス３５、コントローラーカバー３６および開口部変更部材３７からなり、コントローラーボックス３５の上面および背面上部には開口部Ａ３８が設けられ、またコントローラーカバー３６の下面には開口部Ｂ３９が設けられている。
【００６０】
コントローラー２８は、冷却装置１０１の背面へ取り付けられる際、図８および図９に示すように、コントローラーボックス３５の背面上部の開口部Ａ３８が開口状態となるように開口変更部材３７が取り付けられている。
【００６１】
また筐体内空気吸込口７には、筐体内空気温度検出手段としての温度センサー４０が取り付けられている。
【００６２】
上記のように構成された冷却装置１０１は、その背面が通信機器等を収容した筐体４１の外壁とパッキン４２を介して取り付けられ、図２に示すように筐体内空気は筐体内空気吸込口７よりフランジ１０ａにより形成された連通風路を経由して冷却装置１０１へ取り込まれ、顕熱交換器２を通過し、循環用ファン３により筐体内へ戻し循環する。一方、図３に示すように、外気は、外気吸込口９から外気用フィルター６ａを通過し、冷却装置１０１へ取り込まれ、室外ファン４により顕熱交換器２へ送り込まれ、顕熱交換器２、外気用フィルター６ｂ、外気ダクト１５を順次通過し、外気吹出口１４より室外へ排出される。
【００６３】
冷却装置１０１は筐体内の空気よりも低い温度の外気と筐体内の高温空気を取り込み、顕熱交換気２において顕熱交換を行い、暖かくなった外気を排出し、冷却された空気を筐体内へ給気し、筐体内を冷却することができ、筐体内空気吸込口７へ吸込まれる筐体内空気の一部は、コントローラー２８の内部へ開口部Ｂよりコントローラー２８内部へ取り込まれ、開口部Ａ３８より排出されることにより、コントローラー２８を冷却することができる。
【００６４】
また、冷却装置１０１は筐体内空気温度を検出するための温度センサー４０の検出温度が温度設定手段３２ａにて設定された温度以下の場合にはモーター５を停止させ、温度センサー４０の検出温度が温度設定手段３２ａにて設定された温度以上の場合、モーター５を運転させ筐体内空気の冷却を行い、さらに温度センサー４０の検出温度が温度設定手段３２ｂにて設定された温度を超えた場合には、モーター５の回転数を上昇させ、冷却能力を増大するように運転を行い、冷却負荷に応じた運転を行うことにより省エネルギー性が向上する。
【００６５】
また、コントローラー２８を冷却装置１０１の背面のフランジ１０ａにより形成された連通風路内に配置することにより、冷却装置１０１の外形寸法を増加させることなく、電装品を冷却装置１０１へ搭載することができる。
【００６６】
さらに、冷却装置１０１を取り付けた際、電源スイッチ２９、設定手段３２ａ、３２ｂの操作が困難な場合や、運転ＬＥＤ、異常ＬＥＤの点灯状態の確認が困難な場合は、図１０に示すようにコントローラー２８を冷却装置１０１から取り外し、操作が行いやすい場所や運転ＬＥＤ、異常ＬＥＤの点灯状態の確認が容易に行える場所に設置することができる。
【００６７】
コントローラー２８を冷却装置１０１から取り外した場合、図１１および図１２に示すように、コントローラー２８の上面の開口部Ａ３８が開口状態となるように開口変更部材３７を取り付け、コントローラー２８の下面と上面に開口部Ｂ３９よび開口部Ａ３８を設けることにより、コントローラー２８の通気性を確保し、コントローラー２８の冷却を可能とすることができる。
【００６８】
なお、本実施の形態では顕熱交換器２にポリスチレンシートの真空成形加工により成形された伝熱板を多数枚積層した略六角柱状の顕熱交換器を用いたが、２つの流体がそれぞれ独立した風路を流れ、顕熱交換行えるものであれば、その他の工法、材質および形状の顕熱交換器を用いても同様の作用効果を得ることができる。
【００６９】
また、モーター５の運転制御を温度設定手段３２ａ、３２ｂにより制御したが、温度センサーの検出温度に応じて、モーター５の回転数を連続的に変化させることにより冷却能力を変化させても同様の作用効果を得ることができる。
【００７０】
（実施の形態２）
図１３はコントローラーの概略斜視図、図１４は筐体内空気側風路を示す側面概略断面図である。
【００７１】
なお、実施の形態１と同一部分は同一番号とし、同一の作用効果を有するものとし、詳細な説明は省略する。
【００７２】
図１３に示すように、冷却装置１０１のコントローラーは、コントローラー２８ａとコントローラー２８ｂの２つに分割されており、コントローラー２８ａには電源スイッチ２９、運転ＬＥＤ３０および異常ＬＥＤ３１が収容されており、コントローラー２８ｂには設定手段３２ａ、３２ｂおよび制御基板３４が収容されており、コントローラー２８ａおよび２８ｂは、図１４に示すようにボディ１の背面のフランジ１０ｂにより形成された連通風路内に取り付けられ、コントローラー２８ａおよび２８ｂの少なくとも一方は冷却装置１０１から取り外し可能な構造となっている。
【００７３】
コントローラー２８ａおよび２８ｂの背面下方および底面には開口部Ａ３８が設けられ、上面には開口部Ｂ３９が設けられ、開口変更部材３７により開口部Ａ３８の開口方向を変更することができる。
【００７４】
上記構成において、冷却装置１０１にて冷却され循環用ファン３から筐体４１へ戻される筐体内空気の一部は、開口部Ａ３８からコントローラー２８ａおよび２８ｂ内を通過し、開口部Ｂ３９から筐体４１へ送風されるため、コントローラー２８ａおよび２８ｂの冷却を行うことができる。
【００７５】
また、冷却装置１０１を取り付けた際、電源スイッチ２９、設定手段３２ａ、３２ｂの操作が困難な場合や、運転ＬＥＤ、異常ＬＥＤの点灯状態の確認が困難な場合は、図１５のようにコントローラー２８ａのみを冷却装置１０１から取り外し、操作が行いやすい場所や運転ＬＥＤ、異常ＬＥＤの点灯状態の確認が容易に行える場所に設置することができ、発熱量の多い制御基板を収納したコントローラー２８ｂは冷却が行えるように冷却装置１０１に取り付けた状態とすることができる。
【００７６】
なお、本実施の形態ではコントローラー２８ａのみを冷却装置１０１から取り外し筐体４１へ設置したが、コントローラー２８ｂを冷却装置１０１から取り外し筐体４１の温度の低い位置へ設置してもよい。
【００７７】
（実施の形態３）
図１６は筐体内空気側風路を示す側面概略断面図である。
【００７８】
なお、実施の形態１および２と同一部分は同一番号とし、同一の作用効果を有するものとし、詳細な説明は省略する。
【００７９】
図１６に示すように、冷却装置１０１のコントローラーは、コントローラー２８ａとコントローラー２８ｂの２つに分割されており、コントローラー２８ａには電源スイッチ２９、運転ＬＥＤ３０および異常ＬＥＤ３１が収容されており、コントローラー２８ｂには設定手段３２ａ、３２ｂおよび制御基板３４が収容されており、コントローラー２８ａはボディ１の背面のフランジ１０ａにより形成された連通風路内に取り付けられ、冷却装置１０１から取り外し可能な構造となっている。
【００８０】
コントローラー２８ｂは冷却装置１０１内の筐体内空気が送風される顕熱交換器２と循環用ファン３の風路中に配置されており、コントローラー２８ｂの上面および底面には開口部Ａ３８および開口部Ｂ３９が備えられている。
【００８１】
上記構成において、顕熱交換器２により冷却された筐体内空気の一部はコントローラー２８ｂ内へ開口部Ａ３８から流入し、開口部Ｂ３９から排出され循環用ファン３へ吸い込まれた後、筐体４１へ送風されるため、コントローラー２８ｂの冷却を行うことができる。
【産業上の利用可能性】
【００８２】
本発明は、移動電話基地局、簡易無線局等の屋外に設置される筐体で、内部に通信機器等の発熱体を有し、その発熱量が多いため冬季においても冷却を要し、温度、湿度、粉塵、雨水などが性能、寿命に影響を与えるような精密機器を有する筐体の冷却装置に関するものである。
【図面の簡単な説明】
【００８３】
【図１】本発明の実施の形態１による冷却装置の内部構造図
【図２】同筐体内空気側風路を示す側面概略断面図
【図３】同外気側風路を示す側面概略断面図
【図４】同顕熱交換器の概略分解斜視図
【図５】同顕熱交換器の積層時の概略斜視図
【図６】同コントローラーの概略斜視図
【図７】同コントローラーの内部構造図
【図８】同コントローラーの冷却装置取り付け時の概略分解斜視図
【図９】同コントローラーの冷却装置取り付け時の背面概略斜視図
【図１０】同コントローラーの冷却装置取り外し時の概略図
【図１１】同コントローラーの冷却装置取り外し時の概略分解斜視図
【図１２】同コントローラーの冷却装置取り外し時の概略斜視図
【図１３】本発明の実施の形態２による冷却装置のコントローラーの概略斜視図
【図１４】同筐体内空気側風路を示す側面概略断面図
【図１５】同コントローラーの冷却装置取り外し時の概略図
【図１６】本発明の実施の形態３による冷却装置の筐体内空気側風路を示す側面概略断面図
【図１７】従来の冷却装置を示す側面概略断面図
【符号の説明】
【００８４】
１          ボディ
２          顕熱交換器
３          循環用ファン
４          室外ファン
５          モーター
６ａ        外気用フィルター
６ｂ        外気用フィルター
７          筐体内空気吸込口
８          筐体内空気吹出口
９          外気吸込口
１０ａ      フランジ
１０ｂ      フランジ
１１        ファン区画カバー
１２        顕熱交換器カバー
１３        フロントパネル
１４        外気吹出口
１５        外気ダクト
１６        伝熱板Ａ
１７        伝熱板Ｂ
１８        風路Ａ
１９        風路Ｂ
２０        風路リブ
２１        伝熱面
２２        風路端面
２３        突起Ａ
２４        外周リブＡ
２５        外周リブＢ
２６        風路開口部
２７        突起Ｂ
２８        コントローラー
２８ａ      コントローラー
２８ｂ      コントローラー
２９        電源スイッチ
３０        運転ＬＥＤ
３１        異常ＬＥＤ
３２ａ      設定手段
３２ｂ      設定手段
３３        端子台
３４        制御基板
３５        コントローラーボックス
３６        コントローラーカバー
３７        開口変更部材
３８        開口部Ａ
３９        開口部Ｂ
４０        温度センサー
４１        筐体
４２        パッキン
１０１      冷却装置
【図１】
2005282905.tif 000003
【図２】
2005282905.tif 000004
【図３】
2005282905.tif 000005
【図４】
2005282905.tif 000006
【図５】
2005282905.tif 000007
【図６】
2005282905.tif 000008
【図７】
2005282905.tif 000009
【図８】
2005282905.tif 000010
【図９】
2005282905.tif 000011
【図１０】
2005282905.tif 000012
【図１１】
2005282905.tif 000013
【図１２】
2005282905.tif 000014
【図１３】
2005282905.tif 000015
【図１４】
2005282905.tif 000016
【図１５】
2005282905.tif 000017
【図１６】
2005282905.tif 000018
【図１７】
2005282905.tif 000019